(57)【特許請求の範囲】
【請求項１】
棚の側面に設けた開口部に、伸縮自在な紐条を張り巡らせて、前記開口部を閉塞したことを特徴とする棚の側面遮蔽装置。
【請求項２】
紐条の端部を上下のブラケットに固定し、これらブラケットを、棚の側面に穿設した係止孔に係合したことを特徴とする請求項１記載の棚の側面遮蔽装置。
【発明の詳細な説明】
【０００１】
【発明の属する技術分野】
本発明は、棚の側面に設けられた開口部を、簡単な手段により閉塞するようにした棚の側面遮蔽装置に関する。
【０００２】
【従来の技術】
図７は、本出願人による特願平１０−１８９０８３号の願書に添付した明細書及び図面に開示してある新しいタイプの棚（０１）を示す。
この棚（０１）は、左右１対の上下方向を向く側部材（０２）（０３）同士を、左右方向を向く下桟（０４）、棚板（０５）及び天板（０６）により結合したものである。
【０００３】
側部材（０２）（０３）は、図７及び図８に示すように、前後１対の上下方向を向く角柱（０７）（０７）同士を、複数の円柱形の横桟（０８）で連結するとともに、両角柱（０７）の前面または後面に平面視ほぼ台形の枠材（０９）を固着し、かつ前後の角柱（０７）及び枠材（０９）の上面間と底面間を、前後方向を向く閉塞板（０１０）（０１１）で結合したものであり、前後の角柱（０７）（０７）の間には、縦長長方形状の開口部（０１３）が形成されている。
角柱（０７）の内外両側面には、多数の係止孔（０１２）が上下方向に並べて穿設されている。
【０００４】
棚板（０５）には、棚（０１）の正面からだけではなく、側面の開口部（０１３）からも、様々な物品（図示略）を出し入れすることができ、また横桟（０８）には、例えば図７に示すような、上端部にフック（Ａ１）を有する吊支物（Ａ）を引っかけることができる。
【０００５】
【発明が解決しようとする課題】
棚（０１）の側面の開口部（０１３）から、棚（０１）の内部が見えるようになっているが、使用者の好みや、棚（０１）の使用態様によっては、棚（０１）の内部が側方から見えない方が好ましいこともある。
【０００６】
このような場合、開口部（０１３）を、図示を省略した側板等で塞いで、棚（０１）の側方から棚（０１）の内部を見えなくすることができる。しかし、このようにすると、物品を開口部（０１３）から棚板（０５）に出し入れすることができなくなるとともに、横桟（０８）に吊支物（Ａ）を取り付けることができなくなる。
【０００７】
本発明は、上述のような問題点を解決するためになされたもので、棚の側面に設けた開口部から棚の内部を見えなくしうるとともに、この開口部から棚の内部に物を出し入れすることができるようにした、棚の側面遮蔽装置を提供することを目的としている。
【０００８】
【課題を解決するための手段】
本発明によると、上記課題は、次のようにして解決される。
（１）  棚の側面に設けた開口部に、伸縮自在な紐条を張り巡らせて、前記開口部を閉塞する。
【０００９】
（２）  上記（１）項において、紐条の端部を上下のブラケットに固定し、これらブラケットを、棚の側面に穿設した係止孔に係合する。
【００１０】
【発明の実施の形態】
以下、本発明の一実施形態である棚（１）について、添付図面を参照しながら説明する。
なお、従来例と同様の部材には、従来例から「０」を除した符号を付すに止めて、その詳細な説明は省略する。
【００１１】
左右の側部材（２）（３）の上下端にそれぞれ上部ブラケット（１４）と下部ブラケット（１５）とを設け、上下のブラケット（１４）（１５）を多数のゴム紐（１６）で連結した遮蔽装置（１７）をもって、開口部（１３）は閉塞されている。
【００１２】
左側の側部材（２）における上部ブラケット（１４）は、図３に示すように、前後方向の長さが、開口部（１３）の前後方向の長さより僅かに短い水平片（１８）と、水平片（１８）の外側縁部から垂直に起立する起立片（１９）と、起立片（１９）の前後の端面の中間部から内方へ向かって突出する下向鉤状の係止片（２０）（２０）とからなり、起立片（１９）の適所には係合孔（２１）が穿設されている。
下部ブラケット（１５）は、上部ブラケット（１４）と上下対称的に形成されている。
【００１３】
水平片（１８）には、その内側縁より、張設しようとするゴム紐（１６）の断面よりやや狭幅の多数のスリット（２２）が、前後方向に並べて穿設されており、各スリット（２２）の奥部には、ゴム紐（１６）の断面とほぼ同寸の円形の固定孔（２３）が穿設されている。
【００１４】
ゴム紐（１６）の上下両端部には、結び目（１６ａ）が作られている。ゴム紐（１６）は、図３及び図５に示すように、スリット（２２）の内側端から固定孔（２３）に差し込まれ、上部の結び目（１６ａ）を上部ブラケット（１４）の水平片（１８）の上面（下部の結び目は下部ブラケット（１５）の水平片（１８）の下面）に係止させることにより、上下のブラケット（１４）（１５）に固定されている。
【００１５】
上下のブラケット（１４）（１５）は、それぞれの下向の係止片（２０）と上向の係止片（２０）とを、角柱（７）の上端部の係止孔（１２）と下端部の係止孔（１２）に係合することにより、側部材（２）（３）に固定されている。
【００１６】
ゴム紐（１６）の全長は、上下のブラケット（１４）（１５）の水平片（１８）（１８）の外面寸法よりやや小としてあるので、上下のブラケット（１４）（１５）を係止孔（１２）に係合すると、ゴム紐（１６）の張力により、下向きの係止片（２０）と上向きの係止片（２０）は係止孔（１２）から抜け出ないようになる。
【００１７】
（２４）（２４）は、前後方向の長さが開口部（１３）の前後方向の長さより長くて、前後方向を向く基片（２５）と、基片（２５）の上下両縁部より内向きに連設され、前後方向の長さが、開口部（１３）の前後長より僅かに短い上片（２６）及び下片（２７）とからなる抜け止め部材である。
【００１８】
図４及び図５に示すように、上側の抜け止め部材（２４）は、基片（２５）を上部ブラケット（１４）の起立片（１９）に被せるとともに、上片（２６）と下片（２７）とを開口部（１３）に挿入し、基片（１９）に穿設されている通孔（２８）を係合孔（２１）に整合させた後、通孔（２８）と係合孔（２１）とに、内端部に外向係合突起を設けた合成樹脂製の固定キャップ（２９）を差し込むことにより、上部ブラケット（１４）に固定されている。
抜け止め部材（２４）を上部ブラケット（１４）に固定すると、図４に示すように、上片（２６）が閉塞板（１０）の下面に当接して、下向の係止片（２０）が係止孔（１２）から上方に抜け出すのが防止されるようになっている。
【００１９】
なお、下側の抜け止め部材（２４）は、上側の抜け止め部材（２４）と上下対称形をなすものであり、下側の抜け止め部材（２４）は、その下片（２７）が下側の閉塞板（１１）の上面に当接することにより、下部ブラケット（１５）の係止片（２０）が係止孔（１２）から下方に抜け出すのが阻止される。
【００２０】
開口部（１３）はゴム紐（１６）により覆われるので、棚（１）の側方から棚（１）の内部を見ることは出来ないが、ゴム紐（１６）の間に手を通すことにより、開口部（１３）から物品を棚板（５）に対して出し入れすることができる。
また、従来通り、横桟（８）に吊支物（Ａ）を取り付けることもできる。
【００２１】
本実施形態では、上下のブラケット（１４）（１５）を開口部（１３）の上下両端部に取り付けているが、ゴム紐（１６）の長さを短くして、下部ブラケット（１５）を開口部（１３）の中段部に取り付けることにより、開口部（１３）の上半部のみを、ゴム紐（１６）で覆うようにすることもできる。
【００２２】
また、図６に示すように、前後のブラケット（３０）（３０）を上下方向に長いものとして、両ブラケット（３０）（３０）の固定孔（図示略）に横向きのゴム紐（３１）を掛け渡し、両ブラケット（３０）（３０）の係止片（図示略）を係止孔（１２）（１２）に係合して、開口部（１３）をゴム紐（３１）で覆うようにしてもよい。
【００２３】
なお、本実施形態ではゴム紐（１６）（３１）を用いているが、伸縮性を有する紐条や索条であれば、ゴム紐以外のものを用いてもよい。
また、ゴム紐（１６）を無端の輪ゴム状とし、それを上下のブラケット（１４）（１５）に設けた２個の固定孔（２３）（２３）間にそれぞれ掛け渡すようにしてもよい。このようにすると、ゴム紐の張設作業がより簡単になる。
【００２４】
【発明の効果】
本発明によれば、次のような効果を奏することができる。
（ａ）  請求項１記載の発明によれば、開口部が紐により覆われるので、棚の側方から棚の内部を見えなくしうるとともに、紐の間に手を通すことにより、従来通り、開口部から様々な物を棚の内部に出し入れできる。
また、開口部の側面の間に横桟が架設されている場合には、紐の間を広げることにより、横桟に、フックを有する吊支物を引っかけることができる。
【００２５】
（ｂ）  請求項２記載の発明によれば、紐を開口部に簡単に着脱できる。
【図面の簡単な説明】
【図１】本発明の一実施形態を備える棚の斜視図である。
【図２】同じく要部の分解斜視図である。
【図３】同じく要部の拡大斜視図である。
【図４】同じく図１のＩＶ−ＩＶ線に沿う拡大縦断側面図である。
【図５】同じく図４のＶ−Ｖ線に沿う拡大横断平面図である。
【図６】同じく変形例の要部の斜視図である。
【図７】従来の棚の斜視図である。
【図８】同じく図７のＶＩＩＩ−ＶＩＩＩ線に沿う拡大横断平面図である。
【符号の説明】
（１）棚
（２）（３）側部材
（４）下桟
（５）棚板
（６）天板
（７）角柱
（８）横桟
（９）枠材
（１０）（１１）閉塞板
（１２）係止孔
（１３）開口部
（１４）上部ブラケット
（１５）下部ブラケット
（１６）ゴム紐
（１６ａ）結び目
（１７）遮蔽装置
（１８）水平片
（１９）起立片
（２０）係止片
（２１）係合孔
（２２）スリット
（２３）固定孔
（２４）抜け止め部材
（２５）基片
（２６）上片
（２７）下片
（２８）通孔
（２９）固定キャップ
（３０）ブラケット
（３１）ゴム紐
（Ａ）吊支物
（Ａ１）フック
【図１】
0003603252.tif 000002
【図２】
0003603252.tif 000003
【図３】
0003603252.tif 000004
【図４】
0003603252.tif 000005
【図５】
0003603252.tif 000006
【図６】
0003603252.tif 000007
【図７】
0003603252.tif 000008
【図８】
0003603252.tif 000009